【事件の表示】
　平成　８年特許願第２７８４０７号「画像形成装置」拒絶査定不服審判事件〔平成１０年　５月１５日出願公開、特開平１０−１２３９１２〕について、次のとおり審決する。
【結　論】
　本件審判の請求は、成り立たない。
【理　由】
１．手続の経緯・本願発明
　本願は、平成８年１０月２１日の出願であって、請求項１ないし請求項４に係る発明は、平成１９年２月２６日付け手続補正書により補正された特許請求の範囲の請求項１ないし請求項４に記載されたものであるところ、請求項１に係る発明（以下、「本願発明１」という。）は、以下のとおりである。（下線は当審で付与。）
　
「像担持体を収納したカートリッジが装置本体に着脱可能に装着されて、窓部から露出した像担持体が転写材に画像を転写する画像形成装置であって、
　カートリッジが、前記窓部を閉鎖して像担持体を保護する開閉可能な保護部材を有し、
　カートリッジを挿入口より装置本体に挿入すると、保護部材をカートリッジの挿入位置で
完全に開放する
完全に開放した状態
完全な開放状態
　ことを特徴とする画像形成装置。」
　
（１−１）ここで、下線を付した「
完全に開放する
完全に開放した状態
完全な開放状態
　本願の発明の詳細な説明の段落【０００９】の記載は以下のとおりである。
「【０００９】以上より、従来の画像形成装置では、ドラムシャッタの開閉の為に、ドラムシャッタのシャフトを利用しあるいは、ドラムシャッタにフックや突起を設けて、これを利用するものがある。例えば、図１５（Ａ）に示すようにカートリッジ１２２のドラムシャッタ１２４にフック１２６を設け、図１５（Ｂ）に示すようにガイド１２８にこのフック１２６を引っかけ、カートリッジ１２２を画像形成装置の装置本体に挿入するのに伴って、図１５（Ｃ）に示すようにガイド１２８の斜面で徐々にドラムシャッタ１２４を開放し、装置本体の奥までカートリッジ１２２が装填された時点で、ドラムシャッタ１２４が
完全に開放される
　そして、本願の図１５は以下に示すものである。
　【図１５】（Ｃ）に記載されている、保護部材（ドラムシャッタ１２４）が「
完全に開放される
　このことから、「
完全に開放される
　仮に、保護部材が「
完全に開放される
　したがって、上記「
完全に開放する
完全に開放した状態
完全な開放状態
　
２．引用例
　これに対し、当審における平成１８年１２月２５日付け拒絶理由通知書、及び、審査における拒絶の理由に引用され、本願出願前に頒布された刊行物である特開平８−１６０６８号公報（以下、「引用文献」という。）には、図面とともに、以下の事項が記載されている。（下線は当審で付与。）
　
（２−ａ）「【請求項１】　画像形成装置本体に挿入後に落とし込んで装着するプロセスカートリッジのシャッタを開閉するカートリッジシャッタの開閉機構において、 
画像形成装置本体側にプロセスカートリッジの挿入をガイドするガイドレールを設け、 
　プロセスカートリッジに前記ガイドレールと係合する挿入ガイドを設け、且つプロセスカートリッジのシャッタを開閉可能に支持するシャッタアームに前記ガイドレールと係合可能なガイド軸及びカムを設け、 
　前記挿入ガイドとガイドレールとを係合させてプロセスカートリッジを画像形成装置本体に挿入するときは前記ガイド軸がガイドレールと係合して前記シャッタをカートリッジ挿入方向と逆方向へ開き、プロセスカートリッジを落とし込むときは前記カムがガイドレールと係合するよう構成したことを特徴とするカートリッジシャッタの開閉機構。」
　 
（２−ｂ）「【００２１】一方、前記画像形成部を形成するプロセスカートリッジＢは、図３及び図４に示すように、感光層を有する感光体ドラム７を回転し、その表面を帯電手段である帯電ローラ８への電圧印加によって一様に帯電し、前記光学系１からの光像を露光部９を介して感光体ドラム７に露光して潜像を形成し、現像手段10によって現像するように構成している。この現像手段10は、トナー溜め内のトナーをトナー送り部材10ａで送り出し、固定磁石を内蔵した現像ローラ10ｂを回転させると共に、現像ブレード10ｃによって摩擦帯電電荷を付与したトナー層を現像ローラ10ｃの表面に形成し、そのトナーを前記潜像に応じて感光体ドラム７へ転移させることによってトナー像を形成して可視像化する。 
【００２２】そして転写ローラ４に前記トナー像と逆極性の電圧を印加してトナー像を記録媒体２に転写した後は、クリーニングブレード11ａによって感光体ドラム７に残留したトナーを掻き落とすと共に、廃トナー溜め11ｂへ集めるクリーニング手段11によって感光体ドラム７上の残留トナーを除去するように構成している。 
【００２３】尚、プロセスカートリッジＢを画像形成装置Ａに装着すると、前記感光体ドラム７は枠体に設けたドラム開口から露出して転写ローラ４に接触可能となっている。そして前記開口をドラムシャッタ12によって開閉可能にすることにより、プロセスカートリッジＢを画像形成装置Ａから取り外したときに感光体ドラム７を保護するようにしている。」
　 
（２−ｃ）「【００２９】上記プロセスカートリッジＢを画像形成装置Ａに挿入するときのドラムシャッタ12の動作は以下のようになる。 
【００３０】まず、プロセスカートリッジＢの挿入ガイド15を画像形成装置本体の上下ガイドレール17，18の間に入り込ませて下ガイドレール18に乗せると共に、ドラム軸16をドラム軸ガイドレール19に乗せ、これらガイドレール18，19に沿って挿入する。このとき前記入り込みを容易にするために、前記ガイドレール17，18，19の入口部はテーパーが形成してあり、ラッパ状に開いた形状にしている。 
【００３１】そしてプロセスカートリッジＢが挿入されると、図２（ａ）に示すように、前記下ガイドレール18に形成したテーパー部18ａにシャッタアーム13に設けたガイド軸20が乗り、カートリッジ挿入にともなってテーパー部18ａに沿って持ち上げられていく（このとき、カム21も下ガイドレール18に乗り上げ、該レール18に沿って係合して滑っていく）。これによってシャッタアーム13が回動軸14を中心に時計回り方向に回転し、シャッタ12がカートリッジ挿入方向と逆方向に開いていく。 
 ・・・・ 
【００３３】前記状態でカートリッジＢを更に挿入すると、図２（ｂ）に示すように、挿入ガイド15が下ガイドレール18から外れると共に、ガイド軸20も下ガイドレール18から外れる。このガイド軸20が下ガイドレール18から外れる前にからカム21が下ガイドレール18に乗っており、ガイド軸20がガイドレール18から外れた後はシャッタアーム13は前記カム21によって回転が規制される。 
【００３４】次にカートリッジＢが奥まで挿入され、ドラム軸16が突当部19ａに突き当たると、図２（ｃ）に示すように、ドラム軸16は落とし込み部19ｂに落ち込み、感光体ドラム７の回転軸に設けたドラムギアが装置本体側の駆動ギアと噛合すると共に、プロセスカートリッジＢの上面に回り止め部材22が当接してカートリッジの装着が完了する。このようにカートリッジＢを挿入した後に落とし込むのは、使用者がカートリッジＢを直線的に挿入することにより、ドラムギアが装置本体の駆動ギアにぶつかると破損するおそれがあるためである。 
【００３５】
尚、本実施例ではカム21を下ガイドレール18の段差形状と同じような段差形状することにより、前記カートリッジＢを落とし込むときにシャッタ12の開放状態の変動が少なくなるようにしている
　 
（２−ｄ）引用文献の【図１】は、以下に示すものである。
（２−ｅ）引用文献の【図２】は、以下に示すものである。
（２−ｅ）上記（２−ｃ）の記載および上記【図２】を参照すると、プロセスカートリッジＢのカム２１が下ガイドレール１８のテーパー部１８ａをすぎてその平坦部に達したときに、上記【図２】（ｂ）に記載されているように、ドラムシャッタ１２が完全に開放しているかどうかはわからないが、少なくともほぼ完全に開放した状態となり、そのまま挿入位置（ドラム軸１６がドラム軸ガイドレール１９に最初に当接する位置）まで進入し、その後、ドラムシャッタ開度が変化しないまま【図２】（ｂ）に示されている落とし込み位置までガイドレール１９により案内され、ドラムシャッタ開度がほとんど変化しないで落とし込まれて、【図２】（ｃ）に示されるように、ドラムシャッタが完全に開放された状態で、プロセスカートリッジＢが装置本体に装填されることがわかる。
　 
　上記摘記事項を総合して勘案すると、引用文献には以下の発明（以下、「引用文献記載発明」という。）が実質的に記載されている。
　 
「感光体ドラム７を収納したプロセスカートリッジＢが装置本体に着脱自在に装着されて、ドラム開口から露出した感光体ドラム７が記録媒体２に画像を転写する画像形成装置であって、 
　プロセスカートリッジＢが、前記ドラム開口を閉鎖して感光体ドラム７を保護する開閉可能なドラムシャッタ１２を有し、 
　プロセスカートリッジＢを挿入口より装置本体に挿入すると、ドラムシャッタ１２をプロセスカートリッジＢの挿入位置で少なくともほぼ完全に開放するとともにドラムシャッタ１２を少なくともほぼ完全に開放した状態でプロセスカートリッジＢの装填位置までプロセスカートリッジＢを案内し、当該プロセスカートリッジＢを装填位置に落とし込むときのドラムシャッタ１２の開放状態の変動を少なくしてドラムシャッタ１２が完全な開放状態となるように案内する案内部（ガイドレール１７、１８、１９等）を装置本体が有する画像形成装置。」 
 　 
３．本願発明１（前者）と引用文献記載発明（後者）の対比 
　後者の「感光体ドラム７」、「プロセスカートリッジＢ」、「記録媒体２」、「ドラム開口」、「ドラムシャッタ１２」は、それぞれ、前者の「像担持体」、「カートリッジ」、「転写材」、「窓部」、「保護部材」に相当し、上記「１．（１−１）」で指摘したように、前者もカートリッジが装填位置に配置されたときに保護部材が完全な開放状態となるので、両者は、 
「像担持体を収納したカートリッジが装置本体に着脱可能に装着されて、窓部から露出した像担持体が転写材に画像を転写する画像形成装置であって、　カートリッジが、前記窓部を閉鎖して像担持体を保護する開閉可能な保護部材を有し、 
　カートリッジを挿入口より装置本体に挿入すると、保護部材をカートリッジの挿入位置で開放すると共に保護部材を開放した状態でカートリッジの装填位置までカートリッジを案内し、当該カートリッジが前記装填位置に配置されると保護部材が完全な開放状態に移動するように案内する案内部を装置本体が有した、画像形成装置。」 
である点で一致し、以下の点で相違する。 
 　 
（３−１）相違点 
　カートリッジの挿入位置における保護部材の開放について、前者は保護部材を完全に開放しているとしているのに対して、後者はほぼ完全に保護部材（ドラムシャッタ１２）を開放しているものの、完全に開放しているかどうかは不明であり、また、装置本体が有する案内部について、前者は「当該カートリッジが前記装填位置に配置されると保護部材が完全な解放状態から閉じる方向に移動するように案内する」案内部と規定しているのに対して、後者は、カートリッジ（プロセスカートリッジＢ）を装填位置に落とし込むときの保護部材（ドラムシャッタ１２）の開放状態の変動を少なくして完全な開放状態となるように案内する案内部としている点。
　
４．相違点についての判断 
　引用文献記載発明において、カートリッジ（プロセスカートリッジＢ）を装填位置に落とし込むときの保護部材（ドラムシャッタ１２）の開放状態の変動を少なくするのに際して、「少なくともほぼ完全に開放した状態」として、挿入位置において予め装填状態における保護部材の開度以上に開放させておき、「完全な開放状態」としたものを採用することは、当業者が必要に応じて適宜行う事項である。
　そして、引用文献記載発明において、このような構成を採用した場合、本願発明１と同じく「当該カートリッジが前記装填位置に配置されると保護部材が完全な解放状態から閉じる方向に移動するように案内する」案内部を有することとなる。
　してみると、引用文献記載発明において、相違点に係る構成を有するものとすることは当業者が適宜行うことである。
　また、引用文献記載発明において、相違点に係る構成を有するものとしたことにより、当業者が予期せぬ格別の効果が奏せられるものでもない。 
 　 
５．むすび 
　以上のとおりであるから、本願の請求項１に係る発明は、引用文献に記載された発明に基づいて、当業者が容易に発明をすることができたものであり、特許法第２９条第２項の規定により特許を受けることができず、本願の他の請求項に係る発明について検討するまでもなく、本願は拒絶すべきものである。
　よって、結論のとおり審決する。